(57)【特許請求の範囲】
【請求項１】
動画をその撮影情報と共に記録する記録手段と、
この記録手段に記録されている動画を処理する動画処理手段と、
この動画処理手段での動画の処理中に、当該動画の画像の変化の有無を検出する検出手段と、
この検出手段での検出結果により、上記撮影情報中の撮影日時情報を動画中に重畳合成する画像合成手段と
を具備したことを特徴とする動画記録装置。
【請求項２】
動画をその撮影情報と共に記録する記録手段と、
この記録手段に記録されている動画を処理する動画処理手段と、
この動画処理手段での動画の処理中に、上記撮影情報中の撮影位置情報の変化の有無を検出する検出手段と、
この検出手段での検出結果により、上記撮影情報中の撮影日時情報を動画中に重畳合成する画像合成手段と
を具備したことを特徴とする動画記録装置。
【請求項３】
動画を撮影して記録する電子カメラであって、
日時を計時する計時手段と、
動画の撮影中に、当該動画の画像の変化の有無を検出する検出手段と、
この検出手段での検出結果により、上記計時手段で得られる日時を撮影日時情報として撮影動画中に重畳合成して記録する記録制御手段と
を具備したことを特徴とする電子カメラ。
【請求項４】
動画を撮影して記録する電子カメラであって、
日時を計時する計時手段と、
動画の撮影中に取得した撮影位置情報に基づいて、撮影位置の変化の有無を検出する検出手段と、
この検出手段での検出結果により、上記計時手段で得られる日時を撮影日時情報として撮影動画中に重畳合成して記録する記録制御手段と
を具備したことを特徴とする電子カメラ。
【請求項５】
動画をその撮影情報と共に記録する記録ステップと、
この記録ステップで記録されている動画を処理する動画処理ステップと、
この動画処理ステップでの動画の処理中に、当該動画の画像の変化の有無を検出する検出ステップと、
この検出ステップでの検出結果により、上記撮影情報中の撮影日時情報を動画中に重畳合成する画像合成ステップと
をコンピュータに実行させることを特徴とするプログラム。
【請求項６】
動画をその撮影情報と共に記録する記録ステップと、
この記録ステップで記録されている動画を処理する動画処理ステップと、
この動画処理ステップでの動画の処理中に、上記撮影情報中の撮影位置情報の変化の有無を検出する検出ステップと、
この検出ステップでの検出結果により、上記撮影情報中の撮影日時情報を動画中に重畳合成する画像合成ステップと
をコンピュータに実行させることを特徴とするプログラム。
【請求項７】
動画を撮影して記録する電子カメラに内蔵されたコンピュータが実行するプログラムであって、
日時を計時する計時ステップと、
動画の撮影中に、当該動画の画像の変化の有無を検出する検出ステップと、
この検出ステップでの検出結果により、上記計時ステップで得られる日時を撮影日時情報として撮影動画中に重畳合成して記録する記録制御ステップと
をコンピュータに実行させることを特徴とするプログラム。
【請求項８】
動画を撮影して記録する電子カメラに内蔵されたコンピュータが実行するプログラムであって、
日時を計時する計時ステップと、
動画の撮影中に取得した撮影位置情報に基づいて、撮影位置の変化の有無を検出する検出ステップと、
この検出ステップでの検出結果により、上記計時ステップで得られる日時を撮影日時情報として撮影動画中に重畳合成して記録する記録制御ステップと
をコンピュータに実行させることを特徴とするプログラム。
【発明の詳細な説明】
【０００１】
【発明の属する技術分野】
本発明は、デジタルカメラ等に好適な動画記録装置、電子カメラ及びプログラムに関する。
【０００２】
【従来の技術】
一般的なビデオムービーカメラでは、その撮影日付あるいは撮影時刻等を画像中の端部に重畳して記録する、所謂「デート機能」を選択することが可能である。このデート機能は、機能選択時には動画中に撮影日付あるいは撮影時刻が記録／再生される反面、機能非選択時にはまったくそれらの情報が動画中に記録／再生されない。
【０００３】
また、例えば１分／５分／１０分等の設定された間隔で撮影日時を示す画像を撮影画像中に間欠的に重畳して記録するような技術が考えられている。（例えば、特許文献１参照。）
【０００４】
【特許文献１】
特開平６−０３０３７０号公報
【０００５】
【発明が解決しようとする課題】
デート機能の有無を選択的に設定するものは、選択状態により撮影した日時あるいは時刻が画像中にずっと表示され続けるか、あるいはまったく表示されないかであり、必要に応じたタイミングでのみそれらの情報を表示させるためには、撮影時にデート機能の選択操作をこまめに行なうしかなく、その操作が煩雑なものとなる。
【０００６】
また、上記特許文献１に記載した技術は、必ずしも必要なタイミングで撮影日時の情報が表示されるとは限らず、設定された複数の時間間隔から適切であると思われるものを選択するのはユーザに委ねられているので、やはりその操作が煩雑となる。
【０００７】
本発明は上記のような実情に鑑みてなされたもので、その目的とするところは、ユーザに負担をかけることなく動画中の必要なタイミングでのみ撮影日付や撮影時刻等の情報を挿入することが可能な動画記録装置、電子カメラ及びプログラムを提供することにある。
【０００８】
【課題を解決するための手段】
請求項１記載の発明は、動画をその撮影情報と共に記録する記録手段と、この記録手段に記録されている動画を処理する動画処理手段と、この動画処理手段での動画の処理中に、当該動画の画像の変化の有無を検出する検出手段と、この検出手段での検出結果により、上記撮影情報中の撮影日時情報を動画中に重畳合成する画像合成手段とを具備したことを特徴とする。
【０００９】
このような構成とすれば、ユーザに一切の負担をかけることなく、動画の画像に変化が生じたタイミングで撮影した日付や時刻等の情報を動画中に自動的に重畳して記録、再生あるいはその他の処理を行なうことが可能となる。
【００１０】
請求項２記載の発明は、動画をその撮影情報と共に記録する記録手段と、この記録手段に記録されている動画を処理する動画処理手段と、この動画処理手段での動画の処理中に、上記撮影情報中の撮影位置情報の変化の有無を検出する検出手段と、この検出手段での検出結果により、上記撮影情報中の撮影日時情報を動画中に重畳合成する画像合成手段とを具備したことを特徴とする。
【００１１】
このような構成とすれば、ユーザに一切の負担をかけることなく、撮影を行なったときの位置に変化が生じたタイミングで撮影した日付や時刻等の情報を動画中に自動的に重畳して記録、再生あるいはその他の処理を行なうことが可能となる。
【００１２】
請求項３記載の発明は、動画を撮影して記録する電子カメラであって、日時を計時する計時手段と、動画の撮影中に、当該動画の画像の変化の有無を検出する検出手段と、この検出手段での検出結果により、上記計時手段で得られる日時を撮影日時情報として撮影動画中に重畳合成して記録する記録制御手段とを具備したことを特徴とする。
【００１３】
このような構成とすれば、ユーザに一切の負担をかけることなく、動画の画像に変化が生じたタイミングで撮影した日付や時刻等の情報を動画中に自動的に重畳して記録させることが可能となる。
【００１４】
請求項４記載の発明は、動画を撮影して記録する電子カメラであって、日時を計時する計時手段と、動画の撮影中に取得した撮影位置情報に基づいて、撮影位置の変化の有無を検出する検出手段と、この検出手段での検出結果により、上記計時手段で得られる日時を撮影日時情報として撮影動画中に重畳合成して記録する記録制御手段とを具備したことを特徴とする。
【００１５】
このような構成とすれば、ユーザに一切の負担をかけることなく、撮影時の位置に変化が生じたタイミングで撮影した日付や時刻等の情報を動画中に自動的に重畳して記録させることが可能となる。
【００３０】
請求項５載の発明は、動画をその撮影情報と共に記録する記録ステップと、この記録ステップで記録されている動画を処理する動画処理ステップと、この動画処理ステップでの動画の処理中に、当該動画の画像の変化の有無を検出する検出ステップと、この検出ステップでの検出結果により、上記撮影情報中の撮影日時情報を動画中に重畳合成する画像合成ステップとをコンピュータに実行させることを特徴とする。
【００３１】
このようなプログラム内容とすれば、ユーザに一切の負担をかけることなく、動画の画像に変化が生じたタイミングで撮影した日付や時刻等の情報を動画中に自動的に重畳して記録、再生あるいはその他の処理を行なうことが可能となる。
【００３２】
請求項６記載の発明は、動画をその撮影情報と共に記録する記録ステップと、この記録ステップで記録されている動画を処理する動画処理ステップと、この動画処理ステップでの動画の処理中に、上記撮影情報中の撮影位置情報の変化の有無を検出する検出ステップと、この検出ステップでの検出結果により、上記撮影情報中の撮影日時情報を動画中に重畳合成する画像合成ステップとをコンピュータに実行させることを特徴とする。
【００３３】
このようなプログラム内容とすれば、ユーザに一切の負担をかけることなく、撮影を行なったときの位置に変化が生じたタイミングで撮影した日付や時刻等の情報を動画中に自動的に重畳して記録、再生あるいはその他の処理を行なうことが可能となる。
【００３４】
請求項７記載の発明は、動画を撮影して記録する電子カメラに内蔵されたコンピュータが実行するプログラムであって、日時を計時する計時ステップと、動画の撮影中に、当該動画の画像の変化の有無を検出する検出ステップと、この検出ステップでの検出結果により、上記計時ステップで得られる日時を撮影日時情報として撮影動画中に重畳合成して記録する記録制御ステップとをコンピュータに実行させることを特徴とする。
【００３５】
このようなプログラム内容とすれば、ユーザに一切の負担をかけることなく、動画の画像に変化が生じたタイミングで撮影した日付や時刻等の情報を動画中に自動的に重畳して記録させることが可能となる。
【００３６】
請求項８記載の発明は、動画を撮影して記録する電子カメラに内蔵されたコンピュータが実行するプログラムであって、日時を計時する計時ステップと、動画の撮影中に取得した撮影位置情報に基づいて、撮影位置の変化の有無を検出する検出ステップと、この検出ステップでの検出結果により、上記計時ステップで得られる日時を撮影日時情報として撮影動画中に重畳合成して記録する記録制御ステップとをコンピュータに実行させることを特徴とする。
【００３７】
このようなプログラム内容とすれば、ユーザに一切の負担をかけることなく、撮影時の位置に変化が生じたタイミングで撮影した日付や時刻等の情報を動画中に自動的に重畳して記録させることが可能となる。
【００３８】
【発明の実施の形態】
（第１の実施の形態）
以下本発明を動画撮影も可能なデジタルカメラに適用した場合の第１の実施の形態について図面を参照して説明する。
【００３９】
図１は、同実施の形態に係るデジタルカメラ１０の回路構成を示すものである。同図で、基本モードである記録モードでのモニタリング状態においては、モータ（Ｍ）１１の駆動により合焦位置や絞り位置が移動される、撮影レンズを含むレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００４０】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ  Ａｃｃｅｓｓ）コントローラ１９に出力される。
【００４１】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００４２】
制御部２２は、ＣＰＵと、後述する動画撮影モード及び動画再生モード時の処理を含むＣＰＵで実行される動作プログラムを固定的に記憶したＲＯＭ、及びワークメモリとして使用されるＲＡＭ等により構成され、このデジタルカメラ１０全体の制御動作を司るもので、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００４３】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６及びビデオ出力端子を介して外部に出力する。
【００４４】
表示部２６は、カラーＴＦＴ液晶パネルとバックライト装置、及びそれらの駆動回路で構成されるもので、記録モード時にはモニタ表示部（電子ファインダ）として機能し、デジタルビデオエンコーダ２５からのビデオ信号に基づいた表示を行なうことで、その時点でＶＲＡＭコントローラ２３から取込んでいる画像情報に基づく画像をリアルタイムに表示することとなる。
【００４５】
このように表示部２６にその時点での画像がモニタ画像としてリアルタイムに表示されている状態で、静止画撮影を行ないたいタイミングでキー入力部２７を構成するシャッタキーを操作すると、トリガ信号を発生する。
【００４６】
制御部２２は、このトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００４７】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２８に書込み、このＪＰＥＧ回路２８でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４８】
そして、得た符号データを１画像のデータファイルとして該ＪＰＥＧ回路２８から読出し、このデジタルカメラ１０の記録媒体として着脱自在に装着されるメモリカード２９内に封入された、不揮発性メモリであるフラッシュメモリに書込む。
【００４９】
なお、制御部２２にはさらに、計時部３０及びＧＰＳレシーバ３１が接続される。
【００５０】
計時部３０は、このデジタルカメラ１０の電源のオン／オフ状態に関係なく現在の日付及び時刻からなる日時情報を計時し続けるものもので、制御部２２からの要求に応じてその計時内容を制御部２２に読出す。
【００５１】
ＧＰＳレシーバ３１は、ＧＰＳアンテナ３２で受信される、複数のＧＰＳ衛星からの到来電波に基づいて現在位置、すなわち緯度、経度及び高度の各情報と現在時刻とを算出し、上記制御部２２へ送出する。
【００５２】
しかして、撮影時にメモリカード２９に書込む画像データのファイルに関しては、ファイル名と、上記シャッタキー操作時に計時部３０から得る撮影日時データ、ＧＰＳレシーバ３１から得る撮影位置データ、シャッタ速度や絞り値、露出補正値、焦点距離値、ホワイトバランス値、ＩＳＯ感度等の情報からなる撮影条件データ、及び撮影モードデータに加えて、静止画の画像データが組合わされて１組のデータファイルが形成され、メモリカード２９に記録される。
【００５３】
なお、このデジタルカメラ１０に着脱自在なメモリカード２９に代えて、デジタルカメラ１０に内蔵される内蔵メモリを設けるものとしてもよく、さらにはメモリカード２９と内蔵メモリの双方を併用するものとしてもよい。
【００５４】
そして、１フレーム分の輝度及び色差信号の圧縮処理及びフラッシュメモリ２９へのデータファイルの書込み終了に伴なって、制御部２２はＣＣＤ１３からＤＲＡＭ２１への経路を再び起動する。
【００５５】
なお、上記キー入力部２７は、上述したシャッタキーの他に、電源キー、モードキー、ズームキー、メニューキー、十字キー、セットキー、及びディスプレイキー等から構成され、それらのキー操作に伴なう信号は直接制御部２２へ送出される。
【００５６】
しかるに、静止画ではなく動画の記録時においては、キー入力部２７のシャッタキーが１回目に操作されてから２回目に操作されるまでの間、上述した静止画像データのＤＲＡＭ２１への記録を時間的に連続して実行し、該シャッタキーが２回目に操作されるか、または所定の制限時間、例えば３０秒が経過した時点でそれら一連の静止画データを順次ＪＰＥＧ回路２８でデータ圧縮した後、データ圧縮した一連の静止画データを含むモーションＪＰＥＧの動画データファイルを生成し、メモリカード２９に記録する。
【００５７】
また、再生モード時には、制御部２２がメモリカード２９に記録されている画像データを選択的に読出し、ＪＰＥＧ回路２８で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４より定期的に画像データを読出してビデオ信号を発生し、表示部２６で再生出力させる。
【００５８】
選択した画像データが静止画ではなく動画であった場合、選択した動画データのファイルを構成する個々の静止画データの再生を時間的に連続して実行し、すべての静止画データの再生を終了した時点で、次に再生の指示がなされるまでその動画データの先頭に位置する静止画データのみを用いて再生表示する。
【００５９】
次に上記実施の形態の動作について説明する。
図２は、動画の撮影を行なう動画撮影モードでの処理内容を示すものである。
【００６０】
その当初には、その時点でＣＣＤ１３で撮影している画像を表示部２６でモニタ画像としてリアルタイムに表示するスルー画像表示を行ないながら（ステップＡ０１）、キー入力部２７のシャッタキーが操作されたか否か（ステップＡ０２）、撮影モードの変更操作がなされたか否か（ステップＡ０３）を繰返し判断することで、スルー画像表示の状態から上記１回目のシャッタキーの操作がなされるか、撮影モードの変更操作がなされるのを待機する。
【００６１】
ここで、撮影モードの変更操作がなされた場合、上記ステップＡ０３でこれを判断し、ユーザの操作に対応した撮影モードの変更、例えばストロボが強制オフ、シャッタ速度が遅めでホワイトバランスが太陽光に設定される夜景モードや、感度が高めに設定されるスポーツモード等への変更処理を実行した上で（ステップＡ０４）、再び上記ステップＡ０１からの待機処理に戻る。
【００６２】
しかして、１回目のシャッタキー操作がなされた場合、ステップＡ０２でこれを判断し、動画を構成する最初の静止画の、ＤＲＡＭ２１への記録を含む撮影処理を実行する（ステップＡ０５）。
【００６３】
このとき、同時に、計時部３０からその時点の日時情報を撮影日時データとして取得し（ステップＡ０６）、ＧＰＳレシーバ３１からその地点の位置情報を撮影位置データとして取得し（ステップＡ０７）、さらにストロボモード、測光方式、シャッタ速度、絞り値、露出補正値、焦点距離値、ホワイトバランス値、及びＩＳＯ感度等の情報からなる撮影条件データを取得し（ステップＡ０８）、それぞれのデータを画像データに対応するものとしてＤＲＡＭ２１に記録しておく。
【００６４】
その後、動画撮影を終了するための２回目のシャッタキーの操作がないことを確認し（ステップＡ０９）、さらに所定の連続動画撮影時間、例えば３０［秒］に達していないことを確認した上で（ステップＡ１０）、再び上記ステップＡ０５からの処理に戻る。
【００６５】
こうしてステップＡ０５〜Ａ１０の処理を繰返し実行することで、動画撮影に係る個々の（静止画の）画像データを撮影日時、撮影位置、及び撮影条件の各データと共にＤＲＡＭ２１に蓄積していく。
【００６６】
しかして、上記ステップＡ０９で２回目のシャッタキーが操作されたと判断するか、ステップＡ１０で所定の連続動画撮影時間となったと判断すると、それまでＤＲＡＭ２１に蓄積していた複数の静止画データをＪＰＥＧ回路２８で順次データ圧縮した後、ＤＲＡＭ２１上で複数の圧縮データと撮影日時、撮影位置、及び撮影条件の各データとを一括して新規の動画ファイルを生成し、メモリカード２９に記録した上で、次の動画撮影に備えるべく上記ステップＡ０１からの処理に戻る。
【００６７】
図３は、このとき生成される動画ファイルの構成を示すもので、ファイル名、撮影日時データ、撮影位置データ、撮影条件データ、撮影モードデータの各データと共に、動画データが一体にしてファイル化される。
【００６８】
ここで、静止画撮影モードで撮影され、メモリカード２９に記録される静止画ファイルも基本的には上記図３に示したものと同様の構成を有するものであるが、動画ファイルでは動画を構成する、撮影開始から終了まで定期的、例えば３０［コマ／秒］分の複数の静止画の画像データにそれぞれ対応して、上記撮影日時データ、撮影位置データ、撮影条件データ、撮影モードデータの各データが付加されている点で静止画ファイルと大きく異なる。
【００６９】
次に、メモリカード２９に記録されている動画ファイルを表示部２６で再生する動画再生モード時の動作について説明する。
図４は、動画再生モード時の処理内容を示すもので、ここではメモリカード２９に記録されているすべての動画ファイルを自動的に連続して再生する場合について説明する。
【００７０】
その処理当初に、メモリカード２９に動画ファイルが少なくとも１つ記録されているか否かを判断し（ステップＢ０１）、１つも動画ファイルが記録されていないと判断した場合には、その時点でこの処理を終了する。
【００７１】
また、ここで少なくとも１つの動画ファイルが記録されていると判断した場合には、次にその撮影日時データを参照して最も撮影日時の早い、すなわち古い動画ファイルを検索し（ステップＢ０２）、その表示部２６での再生を開始すると共に（ステップＢ０２）、撮影日時データに基づいて表示部２６の端部、例えば右下端部に一定時間、例えば５秒間を限度として撮影日時の画像を重畳合成して併せて表示させる（ステップＢ０４）。
【００７２】
その後、当該動画ファイルの再生表示を実行しながら、直前に再生した画像データ及びその撮影日時データ、撮影位置データ、撮影条件データ、撮影モードデータの各データに比して、その時点で得られる撮影日時データにより日付が変わったか否か（ステップＢ０５）、画像データ自体により大きな画像変化があったか否か（ステップＢ０６）、撮影位置データにより大きな撮影位置の変化があったか否か（ステップＢ０７）、撮影日時データにより大きな日時の変化があったか否か（ステップＢ０８）、撮影モードデータにより撮影モードが変化したか否か（ステップＢ０９）、撮影条件データにより大きな撮影条件の変化があったか否か（ステップＢ１０）、及びその時点で再生している動画ファイルが終了するか否か（ステップＢ１１）を繰返し判断することで、これらのいずれかに該当するのを待機する。
【００７３】
ここで、上記ステップＢ０５の日付の変化は、撮影時の時刻が深夜１２時を越えて日付が変化したか否かを判断するものである。
【００７４】
上記ステップＢ０６の画像の変化は、例えば画像の輝度分布など、画像データそのものが一定の値以上変化したか否かを判断するものである。
【００７５】
上記ステップＢ０７の撮影位置の変化は、撮影位置データで表される３次元空間中の位置が一定の値（例えば３０［ｍ］）以上変化したか否かを判断するものである。
【００７６】
上記ステップＢ０８の撮影日時の変化は、撮影日時データが一定の値（例えば１０［分］）以上変化したか否かを判断するものである。
【００７７】
上記ステップＢ０９の撮影モードの変化は、撮影モードデータの内容が変化したか否かを判断するものである。
【００７８】
上記ステップＢ１０の撮影条件の変化は、撮影条件データ中のいずれかの値、例えば絞り値が±２段以上変化したか否かなどを判断するものである。
【００７９】
これらステップＢ０５〜Ｂ１０のいずれかで変化があったと判断した場合には、その時点で得られる撮影日時データに基づいて表示部２６の端部、例えば右下端部に一定時間、例えば５秒間を限度として撮影日時の画像を重畳合成して併せて表示させながら（ステップＢ１２）、引き続き上記ステップＢ０５からの処理を続行する。
【００８０】
図５は、こうして再生表示される一連の動画ファイルの変化を例示するものであり、図５（Ａ）に示す表示状態から図５（Ｂ）に示す表示状態に移行した時点で、図示する如く撮影日時Ｄが画面右下端部に重畳合成されていることを示す。
【００８１】
その後、一定時間が経過して特に大きな変化がなければ、図５（Ｃ）に示すように上記撮影日時Ｄの重畳合成は解除され、画面中から自動的に消滅する。
【００８２】
また、上記ステップＢ１１でその時点で再生表示していた動画ファイルが終了すると判断した場合には、その時点で再生表示を終了した動画ファイルに続く、次に撮影日時の早い（古い）動画ファイルをメモリカード２９内で検索し（ステップＢ１３）、対応する動画ファイルがメモリカード２９にまだ記録されているか否かを判断する（ステップＢ１４）。
【００８３】
ここで、対応する動画ファイルがないと判断した場合には、その時点でこの処理を終了する一方、対応する動画ファイルがあると判断した場合には、その動画ファイルを用いて連続して動画の再生を開始し（ステップＢ１５）、再び上記ステップＢ０５からの処理を繰返し実行する。
【００８４】
そして、メモリカード２９に記録されているすべての動画ファイルの再生を終え、ステップＢ１１でその動画ファイルの再生が終了すると判断した後に、ステップＢ１３でまだ再生していない動画ファイルを検索し、ステップＢ１４で対応する動画ファイルがもうないと判断すると、以上でこの図４による一連の動画ファイルの連続再生を終了する。
【００８５】
このように、複数の動画ファイルを連続的に処理する際に、撮影日時が所定の時間以上離れていない別の動画ファイルを処理する際には、画像中に日時画像を重畳合成して処理するのを必要ないものとして省略しながらも、撮影時の日付、撮影モードに変化があった場合、または画像、撮影位置、撮影日時、及び撮影条件にある程度の大きな変化があった場合には、自動的に撮影日時Ｄを画面端部に重畳合成するようにしたため、必要なタイミングでユーザに一切の負担をかけずに再生表示を実行できる。
【００８６】
（第２の実施の形態）
以下本発明を動画撮影も可能なデジタルカメラに適用した場合の第２の実施の形態について図面を参照して説明する。
【００８７】
なお、その回路構成については基本的に上記図１に示したものと同様であるので、同一部分には同一符号を用いるものとし、その図示及び説明は省略する。
【００８８】
なお、この実施の形態においては、時間的に連続した複数の静止画からなる動画を１つのファイルとして管理するのではなく、デジタルビデオテープレコーダ等のように個々の静止画が独立したデータとして時系列的に順次記録していくものとする。
【００８９】
以下その動作について説明する。
【００９０】
その当初には、その時点でＣＣＤ１３で撮影している画像を表示部２６でモニタ画像としてリアルタイムに表示するスルー画像表示を行ないながら（ステップＣ０１）、キー入力部２７のシャッタキーが操作されたか否か（ステップＣ０２）、撮影モードの変更操作がなされたか否か（ステップＣ０３）を繰返し判断することで、スルー画像表示の状態から上記１回目のシャッタキーの操作がなされるか、撮影モードの変更操作がなされるのを待機する。
【００９１】
ここで、撮影モードの変更操作がなされた場合、上記ステップＣ０３でこれを判断し、ユーザの操作に対応した撮影モードの変更、例えばストロボが強制オフ、シャッタ速度が遅めでホワイトバランスが太陽光に設定される夜景モードや、感度が高めに設定されるスポーツモード等への変更処理を実行した上で（ステップＣ０４）、再び上記ステップＣ０１からの待機処理に戻る。
【００９２】
しかして、１回目のシャッタキー操作がなされた場合、ステップＣ０２でこれを判断し、動画を構成する静止画の撮影処理と、撮影した画像データのＪＰＥＧ回路２８によるデータ圧縮とメモリカード２９への記録を含む記録処理とを開始する（ステップＣ０５）。
【００９３】
このとき、同時に、計時部３０からその時点の日時情報を撮影日時データとして、ＧＰＳレシーバ３１からその地点の位置情報を撮影位置データとして、ストロボモード、測光方式、シャッタ速度、絞り値、露出補正値、焦点距離値、ホワイトバランス値、及びＩＳＯ感度等の情報を撮影条件データとして、そして、その時点で設定されている撮影モードを撮影モードデータとして、それぞれ取得し、メモリカード２９に記録した画像データに付加設定して記録する処理も併せて開始する（ステップＣ０６）。
【００９４】
こうして動画を構成する個々の静止画を順次各種データを付加設定してメモリカード２９に記録する処理を続行しながら、直前に記録した画像データ及びその撮影日時データ、撮影位置データ、撮影条件データ、撮影モードデータの各データに比して、その時点で得られる撮影日時データにより日付が変わったか否か（ステップＣ０７）、画像データ自体により大きな画像変化があったか否か（ステップＣ０８）、撮影位置データにより大きな撮影位置の変化があったか否か（ステップＣ０９）、撮影日時データにより大きな日時の変化があったか否か（ステップＣ１０）、撮影モードデータにより撮影モードが変化したか否か（ステップＣ１１）、撮影条件データにより大きな撮影条件の変化があったか否か（ステップＣ１２）、及び動画撮影を終了するための２回目のシャッタキーの操作がなされたか否か（ステップＣ１３）を繰返し判断することで、これらのいずれかに該当するのを待機する。
【００９５】
ここで、上記ステップＣ０７の日付の変化は、撮影時の時刻が深夜１２時を越えて日付が変化したか否かを判断するものである。
【００９６】
上記ステップＣ０８の画像の変化は、例えば画像の輝度分布など、画像データそのものが一定の値以上変化したか否かを判断するものである。
【００９７】
上記ステップＣ０９の撮影位置の変化は、ＧＰＳレシーバ３１から得、メモリカード２９に記録する撮影位置データで表される３次元空間中の位置が一定の値（例えば３０［ｍ］）以上変化したか否かを判断するものである。
【００９８】
上記ステップＣ１０の撮影日時の変化は、撮影日時データが一時停止操作などにより一定の値（例えば１０［分］）以上変化したか否かを判断するものである。
【００９９】
上記ステップＣ１１の撮影モードの変化は、ユーザの操作により撮影モードデータの内容が変化したか否かを判断するものである。
【０１００】
上記ステップＣ１２の撮影条件の変化は、撮影条件データ中のいずれかの値、例えば絞り値が±２段以上変化したか否かなどを判断するものである。
【０１０１】
これらステップＣ０７〜Ｃ１２のいずれかで変化があったと判断した場合には、その時点で得られる撮影日時データに基づいてメモリカード２９に記録する画像データ中の端部、例えば右下端部に一定時間、例えば５秒間を限度として撮影日時の画像を重畳合成して併せて記録させながら（ステップＣ１４）、引き続き上記ステップＣ０７からの処理を続行する。
【０１０２】
その後、動画撮影を終了するための２回目のシャッタキーが操作されたと判断すると、それまで撮影によりメモリカード２９に記録していた動作を停止した上で（ステップＣ１５）、次の動画撮影に備えるべく上記ステップＣ０１からの処理に戻る。
【０１０３】
このように、ファイル管理を行なわない、個々に各種データを付加設定した、時間的に連続した複数の静止画からなる動画を撮影する場合にあっては、その撮影時になんらかの変化があるとそれを直ちに検出し、所定時間だけ画像中に撮影日時の画像を重畳合成して自動的に記録するものとした。
【０１０４】
したがって、一旦記録した動画を外部に転送し、あるいは他の装置で再生表示する際でも、確実に動画中の変化が生じている箇所では撮影日時の情報を画像中に視認できる。
【０１０５】
なお、上記第１及び第２の実施の形態にあっては、日付、画像、撮影位置、撮影モード、撮影条件等の状態の変化を監視し、そのいずれかが変化した場合にこれを検出して撮影日時を動画の画像中に一定時間だけ重畳合成するものとしたが、いずれか１つの変化の有無のみを監視して、変化を検出した際に撮影日時を動画の画像中に一定時間だけ重畳合成するものとしてもよい。
【０１０６】
また、上記第１の実施の形態では、動画ファイルの再生中に、各種の状態の変化を監視するものとしたが、動画撮影を中断した時間が長く、動画の撮影間隔が大きく開いている箇所を判断するために上述した如く各種の状態の変化を検出する、という意味合いが濃いことから、再生対象となる動画ファイルの切換タイミングでのみ、直前に再生した動画ファイルとこれから再生する動画ファイルの間の各種状態の変化を検出し、変化が検出された場合にこれから再生する動画ファイルの先頭部分から一定時間だけ撮影日時を画像中に重畳合成して表示するものとしてもよい。
【０１０７】
この点は上記第２の実施の形態も同様であり、動画再生を開始するタイミングでのみ、前回の動画撮影で記録された直前の動画データ及び各種の状態を示すデータと今回の動画撮影を開始した時点で取得された動画データ及び各種の状態を示すデータとを比較して各種状態の変化を検出し、変化が検出された場合に動画データに一定時間だけ撮影日時を画像中に重畳合成して記録するものとしてもよい。
【０１０８】
さらに上記第１の実施の形態においては、１回の動画撮影が終了する毎に１つの新たな動画ファイルを生成してメモリカード２９に記録するものとして説明したが、例えばビデオテープに記録する場合のように１回の動画撮影が終了した後に次の動画撮影が開始された場合でも、前回記録された動画データに続けて今回の動画撮影により得られる動画データをファイルの区切りなく連続して記録するものとしてもよい。
【０１０９】
この場合、動画再生モードにおいてはメモリカード２９に記録されている１つの動画データを連続して再生しながら各種状態の変化を監視し、変化が検出されると再生動画中に撮影日時を一定時間だけ重畳合成して表示することになる。
【０１１０】
また、上記第１の実施の形態においては、動画再生モード時に各種状態の変化を検出し、変化が検出された場合に撮影日時を再生動画中に一定時間重畳合成して表示するものとしたが、あえて各種状態の変化を監視することなく、動画ファイルの切換えタイミングのみを検出し、切換えた動画ファイルの先頭部分から撮影日時を一定時間だけ重畳合成して表示するようにしてもよい。
【０１１１】
なお、記録媒体としてビデオテープを用いる場合のように、ランダムアクセスを行なうことができず、動画ファイルの形式で動画データを記録しない装置の場合には、ＤＶ（Ｄｉｇｉｔａｌ  Ｖｉｄｅｏ）テープのように、動画撮影を行なう毎に、その動画データの開始日時及び終了日時を特定することができる情報を動画データと関連付けて記録しておき、動画再生時に上記情報により特定されるタイミングにおいてのみ撮影日時を一定時間だけ重畳合成して表示するようにしてもよい。
【０１１２】
また、上記第１及び第２の実施の形態においては、日付が変わった際に撮影日時を動画の画像中に重畳合成して記録または再生するものとしたが、日付のみならず、週、月、時間帯等が変わった場合や、撮影時刻が１２時００分、１８時３０分等のように区切りのいい値となった際に動画の画像中に重畳合成して記録または再生するものとしてもよい。
【０１１３】
さらに、上記第２の実施の形態においては、動画撮影モードで動画の撮影が開始された際に、各種状態の変化を監視し、変化が検出されると撮影日時を撮影した動画データ中に一定時間だけ重畳合成して記録するものとしたが、あえて各種状態の変化を監視することなく、動画の撮影開始が指示されたタイミングのみを検出し、記録を開始した動画の先頭部分から撮影日時を一定時間だけ重畳合成して記録するようにしてもよい。
【０１１４】
なお、上記第１及び第２の実施の形態はいずれも、撮影日時を画像中に写し込む、所謂デート機能付きのデジタルカメラに適用した場合について説明したものであるが、本発明はこれに限らず、ムービーカメラ、カメラ機能付き携帯電話機、カメラ機能付きＰＤＡ（Ｐｅｒｓｏｎａｌ  Ｄｉｇｉｔａｌ  Ａｓｓｉｓｔａｎｔ：個人向け携帯情報端末）、カメラ機能つきパーソナルコンピュータ等にデート機能を設けたものや、さらにはカメラ機能を有していない携帯電話機、ＰＤＡ、パーソナルコンピュータ、テレビ受像機等にデート機能を設けたものにも適用することが可能であり、要はデート機能を備えた各種電子機器であればいずれでも本発明を適用可能となる。
【０１１５】
その他、本発明は上記実施の形態に限らず、その要旨を逸脱しない範囲内で種々変形して実施することが可能であるものとする。
【０１１６】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１１７】
【発明の効果】
請求項１記載の発明によれば、ユーザに一切の負担をかけることなく、動画の画像に変化が生じたタイミングで撮影した日付や時刻等の情報を動画中に自動的に重畳して記録、再生あるいはその他の処理を行なうことが可能となる。
【０１１８】
請求項２記載の発明によれば、ユーザに一切の負担をかけることなく、撮影を行なったときの位置に変化が生じたタイミングで撮影した日付や時刻等の情報を動画中に自動的に重畳して記録、再生あるいはその他の処理を行なうことが可能となる。
【０１１９】
請求項３記載の発明によれば、ユーザに一切の負担をかけることなく、動画の画像に変化が生じたタイミングで撮影した日付や時刻等の情報を動画中に自動的に重畳して記録させることが可能となる。
【０１２０】
請求項４記載の発明によれば、ユーザに一切の負担をかけることなく、撮影時の位置に変化が生じたタイミングで撮影した日付や時刻等の情報を動画中に自動的に重畳して記録させることが可能となる。
【０１２８】
請求項５載の発明によれば、ユーザに一切の負担をかけることなく、動画の画像に変化が生じたタイミングで撮影した日付や時刻等の情報を動画中に自動的に重畳して記録、再生あるいはその他の処理を行なうことが可能となる。
【０１２９】
請求項６記載の発明によれば、ユーザに一切の負担をかけることなく、撮影を行なったときの位置に変化が生じたタイミングで撮影した日付や時刻等の情報を動画中に自動的に重畳して記録、再生あるいはその他の処理を行なうことが可能となる。
【０１３０】
請求項７記載の発明によれば、ユーザに一切の負担をかけることなく、動画の画像に変化が生じたタイミングで撮影した日付や時刻等の情報を動画中に自動的に重畳して記録させることが可能となる。
【０１３１】
請求項８記載の発明によれば、ユーザに一切の負担をかけることなく、撮影時の位置に変化が生じたタイミングで撮影した日付や時刻等の情報を動画中に自動的に重畳して記録させることが可能となる。
【図面の簡単な説明】
【図１】  本発明の第１の実施の形態に係るデジタルカメラの回路構成を示すブロック図。
【図２】  同実施の形態に係る動画撮影モード時の処理内容を示すフローチャート。
【図３】  同実施の形態に係る動画ファイルの構造を例示する図。
【図４】  同実施の形態に係る動画再生モード時の処理内容を示すフローチャート。
【図５】  同実施の形態に係る動画再生モード時に再生される表示画面を例示する図。
【図６】  本発明の第２の実施の形態に係る動画撮影モード時の処理内容を示すフローチャート。
【符号の説明】
１０…デジタルカメラ、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…ＶＲＡＭコントローラ、２４…ＶＲＡＭ、２５…デジタルビデオエンコーダ、２６…表示部、２７…キー入力部、２８…ＪＰＥＧ回路、２９…メモリカード、３０…計時部、３１…ＧＰＳレシーバ、３２…ＧＰＳアンテナ、Ｄ…撮影日時。
【図１】
0004630530.tif 000002
【図２】
0004630530.tif 000003
【図３】
0004630530.tif 000004
【図４】
0004630530.tif 000005
【図５】
0004630530.tif 000006
【図６】
0004630530.tif 000007